(57)【要約】      （修正有）【課題】使用時に天板上のスペースを広く有効に活用でき、また、タブレット型のコンピュータなどの使用の利便性も向上させることができるキャビネットを提供する。【解決手段】矩形の平板状に形成され、天板２の下方かつ一又は複数の引き出し１１〜１６の上方において収納位置と引出位置との間で滑動可能なトレー２０と、天板とトレーとの間に形成された隙間Ｓとを備えると共に、天板の両側辺２ａ，２ｂそれぞれに回動可能に取り付けられた第一拡張板５と第二拡張板６を備え、第一拡張板と第二拡張板は、天板の上面に重なる閉位置と、天板の左右の側方それぞれに開いた開位置との間で回動可能であり、開位置で、天板の上面と第一拡張板と第二拡張板それぞれの上面とが同一平面上に配置される。【選択図】図１
0003212028.tif 000002
【実用新案登録請求の範囲】
【請求項１】
矩形の平板状に形成された天板と、
前記天板の両側辺又はその近傍の下面に固定されて下方向に延びる平板状の第一側板及び第二側板と、
上部に開口を有する箱型に形成され、前記天板の下方で前記第一側板と前記第二側板との間に収納された収納位置と、前記収納位置から手前側に引き出した引出位置との間で滑動可能な一又は複数の引き出しと、を備えるキャビネットであって、
矩形の平板状に形成され、前記天板の下方かつ前記一又は複数の引き出しの上方において前記収納位置と前記引出位置との間で滑動可能なトレーと、
前記天板と前記トレーとの間に形成された隙間と、を備えると共に、
前記天板の前記両側辺それぞれに回動可能に取り付けられた第一拡張板と第二拡張板を備え、
前記第一拡張板と第二拡張板は、前記天板の上面に重なる閉位置と、前記天板の左右の側方それぞれに開いた開位置との間で回動可能であり、
前記開位置で、前記天板の上面と前記第一拡張板と第二拡張板それぞれの上面とが同一平面上に配置される
ことを特徴とするキャビネット。
【請求項２】
矩形の平板状に形成された天板と、
前記天板の両側辺又はその近傍の下面に固定されて下方向に延びる平板状の第一側板及び第二側板と、
上部に開口を有する箱型に形成され、前記天板の下方で前記第一側板と前記第二側板との間に収納された収納位置と、前記収納位置から手前側に引き出した引出位置との間で滑動可能な一又は複数の引き出しと、を備えるキャビネットであって、
矩形の平板状に形成され、前記天板の下方かつ前記一又は複数の引き出しの上方において前記収納位置と前記引出位置との間で滑動可能なトレーと、
前記天板と前記トレーとの間に形成された隙間と、を備える
ことを特徴とするキャビネット。
【請求項３】
前記キャビネットは、
前記第一側板の下端と前記第二側板の下端との間にかけ渡された底板と、
前記底板の下面に取り付けられた複数のキャスターと、を備える
ことを特徴とする請求項１又は２に記載のキャビネット。
【請求項４】
前記第一側板の表面には、書類又は該書類を入れたファイルを保持可能なホルダーが設けられており、
前記ホルダーは、一又は複数の折り曲げた線材を前記第一側板の表面に固定した構造である
ことを特徴とする請求項１乃至３のいずれか１項に記載のキャビネット。
【請求項５】
前記第一側板の表面には、磁石を吸着させることが可能な金属製のシート状の部材からなる磁石取付部が設けられている
ことを特徴とする請求項１乃至４のいずれか１項に記載のキャビネット。
【考案の詳細な説明】
【技術分野】
【０００１】
本考案は、書類などの各種の物品を収納したり、ノートブック型やタブレット型のコンピュータなどを載置したりするために用いて好適な事務用のキャビネットに関し、特に、病院や歯科医院の診察室などでの使用に適したキャビネットに関する。
【背景技術】
【０００２】
従来、例えば特許文献１、２に示すように、書類などの各種の物品を収納するために用いられる事務用のキャビネットがある。この種のキャビネットは、全体が箱型に形成されており、内部に収納可能な引き出しを備えていると共に、天板上に物品を載置可能となっている。また、底面にキャスターが付いていることで、持ち上げずに容易に移動させることができる。
【０００３】
上記のようなキャビネットは、物品を載置するための天板上のスペースが広い方が書類などを沢山置くことができるので使い勝手が向上する。その一方で、使用しないときには外形の横幅寸法や奥行寸法が小さい方が場所をとらずに済むため好適である。
【０００４】
また、上記のようなキャビネットは、病院や歯科医院などの医療機関の診察室などでも使用される場合がある。この場合、カルテなどの書類を収納する用途以外にも、ノートブック型やタブレット型のコンピュータやマウスなどをキャビネットに載せてその上で操作する用途でも使用される。しかしながら、診察室などでは、これらタブレット型などのコンピュータを使用するとき以外は、衛生上の理由から、液体の飛沫などが容易にかからないように有る程度隔離された場所に格納しておくことが望ましい。
【０００５】
そのため、従来のキャビネットでは、これらのタブレット型などのコンピュータを引き出しに収納しておき、使用時に引き出しから取り出して、キャビネットの天板上に載置して操作せざるを得ない。しかしながら、コンピュータを使用の都度引き出しから出し入れするのは非常に面倒で効率が良くない。
【先行技術文献】
【特許文献】
【０００６】
【特許文献１】特開２００３−１１１６２１号公報
【特許文献２】特開２００３−９９６７号公報
【考案の概要】
【考案が解決しようとする課題】
【０００７】
本考案は上述の点に鑑みてなされたものであり、その目的は、使用時に天板上のスペースを広く有効に活用でき、また、タブレット型のコンピュータなどの使用の利便性を向上させることができるキャビネットを提供することにある。
【課題を解決するための手段】
【０００８】
上記課題を解決するため、本考案にかかるキャビネットは、その一態様として、矩形の平板状に形成された天板（２）と、天板（２）の両側辺（２ａ，２ｂ）又はその近傍の下面に固定されて下方向に延びる平板状の第一側板（３Ａ）及び第二側板（３Ｂ）と、上部に開口を有する箱型に形成され、天板（２）の下方で第一側板（３Ａ）と第二側板（３Ｂ）との間に収納された収納位置と、収納位置から手前側に引き出した引出位置との間で滑動可能な一又は複数の引き出し（１１〜１６）と、を備えるキャビネット（１）であって、矩形の平板状に形成され、天板（２）の下方かつ一又は複数の引き出し（１１〜１６）の上方において収納位置と引出位置との間で滑動可能なトレー（２０）と、天板（２）とトレー（２０）との間に形成された隙間（Ｓ）と、を備えると共に、天板（２）の両側辺（２ａ，２ｂ）それぞれに回動可能に取り付けられた第一拡張板（５）と第二拡張板（６）を備え、第一拡張板（５）と第二拡張板（６）は、天板（２）の上面に重なる閉位置と、天板（２）の左右の側方それぞれに開いた開位置との間で回動可能であり、開位置で、天板（２）の上面（２ｃ）と第一拡張板（５）と第二拡張板（６）それぞれの上面（５ｃ，６ｃ）とが同一平面上に配置されることを特徴とする。
【０００９】
また、本考案にかかるキャビネットは、他の一態様として、矩形の平板状に形成された天板（２）と、天板（２）の両側辺（２ａ，２ｂ）又はその近傍の下面に固定されて下方向に延びる平板状の第一側板（３Ａ）及び第二側板（３Ｂ）と、上部に開口を有する箱型に形成され、天板（２）の下方で第一側板（３Ａ）と第二側板（３Ｂ）との間に収納された収納位置と、収納位置から手前側に引き出した引出位置との間で滑動可能な一又は複数の引き出し（１１〜１６）と、を備えるキャビネット（１，１−２）であって、矩形の平板状に形成され、天板（２）の下方かつ一又は複数の引き出し（１１〜１６）の上方において収納位置と引出位置との間で滑動可能なトレー（２０）と、天板（２）とトレー（２０）との間に形成された隙間（Ｓ）と、を備えることを特徴とする。
【００１０】
本考案に係るキャビネットによれば、天板の両側辺（両側面）それぞれに回動可能に取り付けられた第一拡張板と第二拡張板を備え、これら第一拡張板と第二拡張板は、天板の上面に重なる閉位置と、天板の左右の側方それぞれに開いた開位置との間で回動可能であり、開位置で、天板の上面と第一拡張板と第二拡張板それぞれの上面とが同一平面上に配置されることで、キャビネットの使用時には第一、第二拡張板を開位置に配置することで、天板の上面を拡張した状態で広く有効活用することができる一方、キャビネットを使用しないときには、第一、第二拡張板を閉位置に配置することで天板の外形の横幅寸法を小さくすることが可能となるので、場所を取らずに済むようになる。したがって、使用するときの利便性と使用しないときの収納性との両立を図ることができるキャビネットとなる。
【００１１】
また、本考案に係るキャビネットによれば、収納位置と引出位置との間で滑動可能なトレーを備えると共に、このトレーと天板との間に隙間が形成されていることで、タブレット型のコンピュータなどの物品の出し入れ及び操作を非常に簡単に行うことができるキャビネットとなる。すなわち、タブレット型のコンピュータなどをトレーに載せた状態で該トレーを収納位置に配置すれば、トレー上のタブレット型のコンピュータなどをキャビネット内の天板とトレーとの隙間に格納することができる。その一方で、トレーを手前側に引き出して引出位置に配置すれば、キャビネット内に格納されていたタブレット型のコンピュータなどをトレー上に載置された状態でキャビネットから取り出すことができ、かつその状態で保持できるので、操作して使用することができる。これらにより、トレーを収納位置と引出位置との間で移動させるだけで、タブレット型のコンピュータなどの物品を格納することができると共に取り出してそのまま使用することができるようになる。
【００１２】
したがって、トレーを収納位置と引出位置との間で出し入れするだけで、タブレット型などのコンピュータをキャビネットに載置した状態で操作して使用することができると共に、使用するとき以外は、衛生上の理由から、液体の飛沫などが容易にかからないように有る程度隔離された場所に格納しておくことが簡単に行えるようになるので、特に、病院や歯科医院の診察室などでの使用に適したキャビネットとなる。
【００１３】
さらに、本考案にかかるキャビネット（１，１−２）は、第一側板（３Ａ）の下端と第二側板（３Ｂ）の下端との間にかけ渡された底板（４０）と、底板（４０）の下面に取り付けられた複数のキャスター（４１）とを備えてもよい。このように、底板の下面に取り付けられた複数のキャスターを備える構成を有することで、このキャスターを用いて、キャビネットを持ち上げることなく容易に移動させることができる。したがって、キャビネットを所望の場所で使用でき、かつ所望の場所に収納することが簡単に行えるようになる。
【００１４】
また、本考案にかかるキャビネット（１）では、第一側板（３Ａ）の表面には、書類又は該書類を入れたファイル（Ｆ）を保持可能なホルダー（５０）が設けられており、ホルダー（５０）は、一又は複数の折り曲げた線材（５１）を第一側板（３Ａ）の表面に固定した構造であってもよい。このように、書類又は該書類を入れたファイルを保持可能なホルダーを設けたことで、書類やファイルを引き出しに収納せずに保持することが可能となる。したがって、カルテなど収納せずに一時的に保持する必要がある書類やファイルの取扱性を向上させることが可能となるので、キャビネットの利便性を更に向上させることができる。
【００１５】
また、本考案にかかるキャビネット（１−２）では、第一側板（３Ａ）の表面には、磁石を吸着させることが可能な金属製のシート状の部材からなる磁石取付部（マグネットホルダー）（７０）が設けられていてもよい。このような磁石取付部が設けられていることで、キャビネットの側面に磁石でメモ用紙などを貼り付けたり、マグネット付きのタイマーなどを取り付けたりすることができるようになる。したがって、キャビネットの利便性を更に向上させることができる。
【００１６】
なお、上記の括弧内の符号は、後述する実施形態の対応する構成要素の符号を本考案の一要素として示したものである。
【考案の効果】
【００１７】
本考案にかかるキャビネットによれば、天板上のスペースを広く有効に活用でき、また、タブレット型のコンピュータなどの使用時の利便性を向上させることができる。
【図面の簡単な説明】
【００１８】
【図１】本考案の第一実施形態にかかるキャビネットを示す斜視図である。
【図２】キャビネットの天板を拡張した状態を示す斜視図である。
【図３】本考案の第二実施形態にかかるキャビネットを示す斜視図である。
【考案を実施するための形態】
【００１９】
以下、添付図面を参照して本考案の実施形態を詳細に説明する。
〔第一実施形態〕
図１は、本考案の第一実施形態にかかるキャビネット１を示す斜視図である。同図に示すキャビネット１は、水平方向に広がる矩形状（長方形状）の平板である天板２と、天板２の左側辺２ａの近傍の下面に上端が固定されて上下方向に延びる平板である左側板（第一側板）３Ａと、天板２の右側辺２ｂの近傍の下面に上端が固定されて第一側板３Ａと対向して上下方向に延びる平板である右側板（第二側板）３Ｂとを備える。
【００２０】
また、キャビネット１は、複数の引き出し１１〜１６を備える。これら複数の引き出し１１〜１６は、上部（上面）に開口を有する箱型に形成された本体部１１ａ〜１６ａと、本体部１１ａ〜１６ａの手前側の面（前面）に取り付けられた取手１１ｂ〜１６ｂとを備える。これら複数の引き出し１１〜１６は、天板２の下方で第一側板３Ａ及び第二側板３Ｂの間に収納された収納位置と、この収納位置から手前側に引き出された引出位置との間で前後方向に滑動（スライド移動）可能である。なお、各図では引き出し１１〜１６が収納位置に収納された状態を示しており、引出位置は図示していない。
【００２１】
さらに、キャビネット１は、水平方向に広がる矩形状（長方形状）の平板状に形成されたトレー２０を備える。トレー２０は、天板２の下方かつ複数の引き出し１１〜１６のうち最上段に位置する引き出し１６の上方に配置されており、天板２の下方で第一側板３Ａと第二側板３Ｂとの間に収納された収納位置と、この収納位置から手前側に引き出した引出位置との間で滑動（スライド移動）可能である。トレー２０は、水平方向に広がる平板状の本体部２０ａと、本体部２０ａの手前側の面（前面）に設けられた取手２０ｂとを備えている。トレー２０の上面２０ｃと天板２の下面との間には、タブレット型のコンピュータＰやマウスＭなどの物品を収納可能な程度の隙間Ｓが形成されている。この隙間Ｓの寸法は、一例として８ｃｍ〜１０ｃｍ程度とすることができる。
【００２２】
また、キャビネット１は、天板２の左側辺（左側面）２ａと右側辺（右側面）２ｂそれぞれに、左側辺（左側面）５ａと右側辺（右側面）６ａそれぞれが蝶番３０で回動可能に取り付けられた左拡張板（第一拡張板）５及び右拡張板（第二拡張板）６を備えている。これら左拡張板５及び右拡張板６は、図１に示すように、天板２の上面に重なる閉位置と、図２に示すように、天板２の左右の側方それぞれに開いた開位置との間で蝶番３０を支点として回動可能である。そして、図２に示す開位置で、天板２の上面２ｃと左拡張板５の上面５ｃと右拡張板６の上面６ｃとの三面が互いに同一平面（同一の水平面）上に配置される。これにより、天板２の上面２ｃが左右に拡張された状態となることで、閉位置と比較して約二倍の広さ（面積）となる。
【００２３】
さらに、キャビネット１は、左側板３Ａの下端と右側板３Ｂの下端との間にかけ渡された底板４０と、この底板４０の下面の四隅に取り付けられたキャスター４１とを備える。底板４０は、その面が天板２と平行な水平方向に広がる矩形状（長方形状）の平板である。
【００２４】
さらに、キャビネット１は、左側板３Ａの表面に、書類を入れたファイルなどからなるカルテＦを保持可能なカルテホルダー５０が設けられている。カルテホルダー５０は、略コ字状などに折り曲げた金属製の３本の線材５１を左側板３Ａの表面に固定した構造である。三本の線材５１のうち、上側二本の線材５１はカルテＦの側面を保持し、下側一本の線材５１は、カルテＦの下端を保持している。これにより、三本の線材５１の上側からカルテＦを差し込むだけで左側板３Ａの表面に保持することができる。
【００２５】
以上のように、本実施形態のキャビネット１によれば、天板２の左右両側辺２ａ，２ｂそれぞれに回動可能に取り付けられた左拡張板（第一拡張板）５及び右拡張板（第二拡張板）６を備え、これら左拡張板５及び右拡張板６は、天板２の上面２ｃに重なる閉位置と、天板２の左右の側方それぞれに開いた開位置との間で回動可能であり、開位置で、天板２の上面２ｃと左拡張板５と右拡張板６それぞれの上面５ｃ，６ｃとが同一平面上に配置される。これにより、キャビネット１の使用時には、左右拡張板５，６を開位置に配置することで、天板２の上面２ｃを拡張した状態で使用することができる一方、キャビネット１を使用しないときには、左右拡張板５，６を閉位置に配置することで天板２の外形の横幅寸法を小さくすることが可能となるので、場所を取らずに済むようになる。したがって、使用するときの利便性と使用しないときの収納性との両立を図ることができるキャビネット１となる。
【００２６】
また、本実施形態のキャビネット１は、収納位置と引出位置との間で滑動可能なトレー２０を備えると共に、このトレー２０と天板２との間に隙間Ｓが形成されていることで、タブレット型のコンピュータＰなどの物品の出し入れ及び操作を非常に簡単に行うことができるキャビネット１となる。すなわち、タブレット型のコンピュータＰなどをトレー２０に載せた状態でトレー２０を収納位置に配置すれば、トレー２０上のタブレット型のコンピュータＰなどをキャビネット１内の天板２とトレー２０との隙間Ｓに格納することができる。その一方で、トレー２０を手前側に引き出して引出位置に配置すれば、キャビネット１内に格納されていたタブレット型のコンピュータＰなどをトレー２０上に載置された状態でキャビネット１から取り出すことができ、かつその状態で保持できるので、操作して使用することができる。これらにより、トレー２０を収納位置と引出位置との間で移動させるだけで、タブレット型のコンピュータＰなどの物品を格納することができると共に取り出してそのまま使用することができるようになる。
【００２７】
したがって、トレー２０を収納位置と引出位置との間で出し入れするだけで、タブレット型などのコンピュータＰをキャビネット１に載置した状態で操作して使用することができると共に、使用するとき以外は、衛生上の理由から、液体の飛沫などが容易にかからないように有る程度隔離された場所に格納しておくことが簡単に行えるようになるので、特に、病院や歯科医院の診察室などでの使用に適したキャビネット１となる。
【００２８】
さらに、本実施形態のキャビネット１は、底板４０の下面に取り付けられた複数のキャスター４１を備えている。これにより、キャスター４１を用いて、キャビネット１を持ち上げることなく容易に移動させることができる。したがって、キャビネット１を所望の場所で使用でき、かつ所望の場所に収納することが簡単に行えるようになる。
【００２９】
また、本実施形態のキャビネット１では、左側板３Ａの表面には、書類又は該書類を入れたファイルなどのカルテＦを保持可能なカルテホルダー５０が設けられており、このカルテホルダー５０は、複数の折り曲げた線材５１を左側板３Ａの表面に固定した構造である。このカルテホルダー５０を設けたことで、カルテＦを引き出し１１〜１６に収納せずに一時的に保持することが可能となる。したがって、収納せずに一時的に保持する必要があるカルテＦなどの書類の取扱性を向上させることが可能となるので、キャビネット１の利便性を更に向上させることができる。
【００３０】
〔第二実施形態〕
次に、本発明の第二実施形態について説明する。なお、第二実施形態の説明及び対応する図面においては、第一実施形態と同一又は相当する構成部分には同一符号を付し、以下ではその部分の詳細な説明を省略する。また、以下で説明する事項以外の事項については、第一実施形態と同様である。
【００３１】
図３は、本発明の第二実施形態に係るキャビネット１−２を示す斜視図である。第一実施形態のキャビネット１では、天板２の左側辺（左側面）２ａと右側辺（右側面）２ｂそれぞれに蝶番３０で回動可能に取り付けられた左拡張板（第一拡張板）５及び右拡張板（第二拡張板）６を備えていたのに対して、本実施形態のキャビネット１−２は、これら左拡張板５と右拡張板６を備えていない。
【００３２】
また、本実施形態のキャビネット１−２では、天板２の上面２ｃの外周近傍に取り付けた柵６０を備えている。柵６０は、天板２０の上面２ｃの左右側辺２ａ，２ｂの近傍および後端辺の近傍それぞれに取り付けた三本の金属製の線材６１を略コ字型に折り曲げてなる部材である。この柵６０によって、天板２の上面２ｃに載置した物品の落下を防止できる。
【００３３】
さらに、第一実施形態のキャビネット１では、第一側板３Ａの表面にカルテホルダー５０を設けていたのに対し、本実施形態のキャビネット１−２では、第一側板３Ａの表面に取り付けたマグネットホルダー（シート）７０を備えている。このマグネットホルダー７０は、磁石（マグネット）を吸着させることが可能な金属製のシート状の部材からなる。  
【００３４】
本実施形態におけるキャビネット１−２でも、収納位置と引出位置との間で滑動可能なトレー２０を備えると共に、このトレー２０と天板２との間に隙間Ｓが形成されていることで、タブレット型のコンピュータＰなどの物品の出し入れ及び操作を非常に簡単に行うことができるキャビネット１−２となる。
【００３５】
また、本実施形態におけるキャビネット１−２では、マグネットホルダー７０が設けられていることで、図３に示すように、キャビネット１−２の左側板３Ａの表面に磁石７２でメモ用紙７３を貼り付けたり、マグネット付きのタイマー７１を取り付けたりすることができるようになる。したがって、キャビネット１−２の利便性を更に向上させることができる。
【００３６】
以上本考案の実施形態を説明したが、本考案は上記実施形態に限定されるものではなく、実用新案請求の範囲、及び明細書と図面に記載された技術的思想の範囲内において種々の変形が可能である。なお、直接明細書及び図面に記載のない何れの形状・構造・材質であっても、本考案の作用・効果を奏する以上、本考案の技術的思想の範囲内である。
【符号の説明】
【００３７】
１，１−２  キャビネット
５  左拡張板（第一拡張板）
６  右拡張板（第二拡張板）
１１〜１６  引き出し
２０  トレー
２０ｃ  上面
３０  蝶番
４０  底板
４１  キャスター
５０  カルテホルダー（ホルダー）
５１  線材
６０  柵
６１  線材
７０  マグネットホルダー（磁石取付部）
７１  タイマー
７２  磁石
７３  メモ用紙
Ｆ  カルテ（書類又は書類を入れたファイル）
Ｐ  タブレット型のコンピュータ
Ｍ  マウス
Ｓ  隙間
【図１】
0003212028.tif 000003
【図２】
0003212028.tif 000004
【図３】
0003212028.tif 000005